(57)【要約】【課題】導電性ロッドの最先端部分から側方に曲がった形状に高周波電極が形成された内視鏡用高周波切開具において、高周波電極が術者の意に反して予定より組織の深部にまで入り込まず、安全に組織切開を行うことができる内視鏡用高周波切開具を提供すること。【解決手段】電気絶縁性のシース１の先端に、シース１の基端側からの操作によりシース１の先端内から突没する導電性ロッド２が設けられると共に、導電性ロッド２の最先端部分から側方に曲がった形状に高周波電極３が形成された内視鏡用高周波切開具において、導電性ロッド２に、高周波電極３の根元位置に至る範囲まで電気絶縁性被覆６を施す。【選択図】      図１
2005204773.tif 000002
【特許請求の範囲】
【請求項１】
電気絶縁性のシースの先端に、上記シースの基端側からの操作により上記シースの先端内から突没する導電性ロッドが設けられると共に、上記導電性ロッドの最先端部分から側方に曲がった形状に高周波電極が形成された内視鏡用高周波切開具において、
上記導電性ロッドに、上記高周波電極の根元位置に至る範囲まで電気絶縁性被覆を施したことを特徴とする内視鏡用高周波切開具。
【請求項２】
上記高周波電極が上記導電性ロッドの最先端部分から略直角に折り曲げ形成されている請求項１記載の内視鏡用高周波切開具。
【請求項３】
上記高周波電極が上記導電性ロッドの最先端部分から、曲がり部の内周部分にアールがない状態に折り曲げ形成されている請求項１又は２記載の内視鏡用高周波切開具。
【発明の詳細な説明】
【技術分野】
【０００１】
この発明は、内視鏡の処置具挿通チャンネルに通されて、粘膜切除術等に用いられる内視鏡用高周波切開具に関する。
【背景技術】
【０００２】
体内の粘膜の切開をするために用いられる内視鏡用高周波切開具には各種のタイプがあるが、シースの基端側からの操作によりシースの先端内から突没する導電性ロッドを設けて、導電性ロッドの最先端部分から側方に曲がった形状に高周波電極を形成したものが、使いやすくて優れている（例えば、特許文献１、２）。
【特許文献１】特開２００２−１５３４８４、図４
【特許文献２】特開平６−２９２６８５、図１（ａ）
【発明の開示】
【発明が解決しようとする課題】
【０００３】
図３は、上述のように、シース１の先端内から突没する導電性ロッド２の最先端部分から側方に曲がった形状に高周波電極３が形成された内視鏡用高周波切開具の先端部分を、内視鏡５０の処置具挿通チャンネル５１から突出させて移動させることにより、粘膜１００を切開する状態を示している。
【０００４】
その場合、高周波電極３と接触する粘膜１００が、高密度の高周波電流の流れによって発生するジュール熱により切開されるが、高周波電極３に連なる導電性ロッド２と接触する部分も同様にして切開されてしまうため、高周波電極３が移動と共に予定より粘膜１００より深部にまで入り込んでしまって、最悪の場合には術者の意に反して穿孔してしまうおそれがある。
【０００５】
そこで本発明は、導電性ロッドの最先端部分から側方に曲がった形状に高周波電極が形成された内視鏡用高周波切開具において、高周波電極が術者の意に反して予定より組織の深部にまで入り込まず、安全に組織切開を行うことができる内視鏡用高周波切開具を提供することを目的とする。
【課題を解決するための手段】
【０００６】
上記の目的を達成するため、本発明の内視鏡用高周波切開具は、電気絶縁性のシースの先端に、シースの基端側からの操作によりシースの先端内から突没する導電性ロッドが設けられると共に、導電性ロッドの最先端部分から側方に曲がった形状に高周波電極が形成された内視鏡用高周波切開具において、導電性ロッドに、高周波電極の根元位置に至る範囲まで電気絶縁性被覆を施したものである。
【０００７】
なお、高周波電極が導電性ロッドの最先端部分から略直角に折り曲げ形成されていてもよく、高周波電極が導電性ロッドの最先端部分から、曲がり部の内周部分にアールがない状態に折り曲げ形成されていると被覆が高周波電極の根元位置に至る範囲まで確実に行われる。
【発明の効果】
【０００８】
本発明によれば、導電性ロッドの最先端部分から側方に曲がった形状に高周波電極が形成された内視鏡用高周波切開具において、導電性ロッドに、高周波電極の根元位置に至る範囲まで電気絶縁性被覆が施されていて、その部分と粘膜との間には高周波電流が流れないので、粘膜は高周波電極との接触部だけが切開されて、高周波電極が術者の意に反して予定より組織の深部にまで入り込まず、安全に組織切開を行うことができる。
【発明を実施するための最良の形態】
【０００９】
電気絶縁性のシースの先端に、シースの基端側からの操作によりシースの先端内から突没する導電性ロッドが設けられると共に、導電性ロッドの最先端部分から側方に曲がった形状に高周波電極が形成された内視鏡用高周波切開具において、導電性ロッドに、高周波電極の根元位置に至る範囲まで電気絶縁性被覆を施す。
【実施例】
【００１０】
図面を参照して本発明の実施例を説明する。
図１は本発明の実施例の内視鏡用高周波切開具の先端部分を示しており、例えば四フッ化エチレン樹脂チューブ等のような電気絶縁性のある可撓性チューブからなるシース１内に、導電性のある操作ワイヤ４が軸線方向に進退自在に全長にわたって挿通配置されている。
【００１１】
操作ワイヤ４の先端には、ステンレス鋼パイプ材等からなる接続パイプ５を介して、例えばステンレス鋼棒等からなる導電性ロッド２がシース１の先端から突没自在にシース１の先端部分の軸線位置に配置され、導電性ロッド２の最先端部分には、導電性ロッド２自体を側方に略直角に折り曲げて、高周波電極３が形成されている。
【００１２】
そして、導電性ロッド２には、接続パイプ５による操作ワイヤ４との連結部から高周波電極の根元位置に至る範囲まで全長にわたって、例えば四フッ化エチレン樹脂チューブ等からなる電気絶縁性被覆６が施されている。
【００１３】
なお、高周波電極３を導電性ロッド２の最先端部分から、曲がり部の内周部分Ａにアールがない状態（厳密には、製造上半径０．１ｍｍ程度のアールが付く場合があるが、それは「アールがない」状態に含まれるものとする）に折り曲げ形成しておくことにより、電気絶縁性被覆６が高周波電極３の根元部分まで確実に被覆される。
【００１４】
図示されていないシース１の基端側には、操作ワイヤ４を進退操作するための操作部が連結されていて、導電性ロッド２を操作部からの遠隔操作によって図１に矢印Ｂで示されるようにシース１の先端内に突没させることができ、操作部側から操作ワイヤ４と導電性ロッド２を介して高周波電極３に任意に高周波電流を通電することができる。
【００１５】
図２は、上述のように構成された実施例の内視鏡用高周波切開具を用いて粘膜１００を切開する状態を示しており、シース１の先端部分が、内視鏡５０の処置具挿通チャンネル５１から突出して観察窓５２からの観察範囲内に位置している。
【００１６】
そして、高周波電極３が粘膜１００内に差し込まれ、高周波電流を通電しながら導電性ロッド２をシース１側に引っ張って粘膜１００を切開することができる。その際に、粘膜１００の表面に面する導電性ロッド２の外面には電気絶縁性被覆６が施されていて粘膜１００との間に高周波電流が流れないので、粘膜１００は高周波電極３との接触部だけが切開され、高周波電極３の長さより深い部位までは切開されない。
【００１７】
なお、本発明は上記実施例に限定されるものではなく、例えば操作ワイヤ４を前方にそのまま延長してその延長部分を導電性ロッド２として用いても差し支えない。
【図面の簡単な説明】
【００１８】
【図１】本発明の実施例の内視鏡用高周波切開具の先端部分の側面断面図である。
【図２】本発明の実施例の内視鏡用高周波切開具によって粘膜を切開している状態の略示図である。
【図３】従来の内視鏡用高周波切開具によって粘膜を切開している状態の略示図である。
【符号の説明】
【００１９】
１  シース
２  導電性ロッド
３  高周波電極
４  操作ワイヤ
６  電気絶縁性被覆
Ａ  曲がり部の内周部分
【図１】
2005204773.tif 000003
【図２】
2005204773.tif 000004
【図３】
2005204773.tif 000005